【誤訳訂正書】
【提出日】平成27年8月3日(2015.8.3)
【誤訳訂正１】
【訂正対象書類名】特許請求の範囲
【訂正対象項目名】全文
【訂正方法】変更
【訂正の内容】
【特許請求の範囲】
【請求項１】
基体上のアノードとカソードとの間に有機層が設けられており、前記有機層が電界発光層を含み、前記電界発光層が下記化学式１で表される１種以上のドーパント化合物および下記化学式２〜５で表される１種以上のホスト化合物を含む有機電界発光素子：
【化１】
2013539206.tif 000001
式中、Ｌ１は有機配位子を表し；
Ｒは水素、置換されているかもしくは置換されていない（Ｃ１−Ｃ３０）アルキル、置換されているかもしくは置換されていない（Ｃ１−Ｃ３０）アルコキシ、置換されているかもしくは置換されていない（Ｃ６−Ｃ３０）アリール、または置換されているかもしくは置換されていない（Ｃ３−Ｃ３０）ヘテロアリールを表し；
Ｒ１〜Ｒ５は独立して水素、重水素、ハロゲン、置換されているかもしくは置換されていない（Ｃ３−Ｃ３０）シクロアルキル、置換されているかもしくは置換されていない５〜７員のヘテロシクロアルキル、シアノ、ニトロ、ＢＲ１１Ｒ１２、ＰＲ１３Ｒ１４、Ｐ（＝Ｏ）Ｒ１５Ｒ１６、Ｒ１７Ｒ１８Ｒ１９Ｓｉ−、または置換されているかもしくは置換されていない（Ｃ６−Ｃ３０）アリール（Ｃ１−Ｃ３０）アルキルを表し；
Ｒ６〜Ｒ９は水素、重水素、ハロゲン、置換されているかもしくは置換されていない（Ｃ１−Ｃ３０）アルキル、置換されているかもしくは置換されていない（Ｃ１−Ｃ３０）アリール、置換されているかもしくは置換されていない（Ｃ５−Ｃ３０）ヘテロアリール、置換されているかもしくは置換されていない（Ｃ３−Ｃ３０）シクロアルキル、置換されているかもしくは置換されていない５〜７員のヘテロシクロアルキル、シアノ、ニトロ、ＢＲ１１Ｒ１２、ＰＲ１３Ｒ１４、Ｐ（＝Ｏ）Ｒ１５Ｒ１６、Ｒ１７Ｒ１８Ｒ１９Ｓｉ−、ＮＲ２０Ｒ２１、Ｒ２２Ｙ−、置換されているかもしくは置換されていない（Ｃ２−Ｃ３０）アルケニル、置換されているかもしくは置換されていない（Ｃ２−Ｃ３０）アルキニル、置換されているかもしくは置換されていない（Ｃ６−Ｃ３０）アリール（Ｃ１−Ｃ３０）アルキルを表すか、またはそれらは隣の置換基に連結されて縮合環を形成しており；
Ｒ１１〜Ｒ２２は独立して、置換されているかもしくは置換されていない（Ｃ１−Ｃ３０）アルキル、置換されているかもしくは置換されていない（Ｃ６−Ｃ３０）アリール、または置換されているかもしくは置換されていない（Ｃ３−Ｃ３０）ヘテロアリールを表し；
ＹはＳまたはＯを表し；
ｎおよびｍは独立して１〜３の整数を表し；
前記ヘテロシクロアルキルおよびヘテロアリールはＢ、Ｎ、Ｏ、Ｓ、Ｐ（＝Ｏ）、ＳｉおよびＰからなる群から選択される１以上のヘテロ原子を含む：
【化２】
2013539206.tif 000002
式中、Ｚは−Ｏ−、−Ｓ−、−Ｃ（Ｒ４１Ｒ４２）−、−Ｓｉ（Ｒ４３Ｒ４４）−、または−Ｎ（Ｒ４５）−を表し；
環Ａおよび環Ｃは独立して、
【化３】
2013539206.tif 000003
を表し；
環Ｂは
【化４】
2013539206.tif 000004
の環を表し；
Ｙ１１〜Ｙ１２は独立してＣおよびＮを表し；
Ｙ１３〜Ｙ１４は独立して化学結合、−Ｏ−、−Ｓ−、−Ｃ（Ｒ４１Ｒ４２）−、−Ｓｉ（Ｒ４３Ｒ４４）−、または−Ｎ（Ｒ４５）−を表すが；Ｙ１３およびＹ１４が同時に化学結合を表す場合のみを除く；
Ｒ３１およびＲ３２は独立して、水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、置換されているかもしくは置換されていない（Ｃ３−Ｃ３０）シクロアルキル、置換されているかもしくは置換されていない５〜７員のヘテロシクロアルキル、置換されているかもしくは置換されていない（Ｃ６−Ｃ３０）アリール（Ｃ１−Ｃ３０）アルキル、置換されているかもしくは置換されていない（Ｃ１−Ｃ３０）アルキルシリル基、置換されているかもしくは置換されていない（Ｃ１−Ｃ３０）アリールシリル基、置換されているかもしくは置換されていない（Ｃ１−Ｃ３０）アルキル（Ｃ６−Ｃ３０）アリールシリル基、シアノ、ニトロ、またはヒドロキシルを表すか、またはそれらは縮合環を有するかもしくは有しない置換されているかもしくは置換されていない（Ｃ３−Ｃ３０）アルキレンもしくは（Ｃ３−Ｃ３０）アルケニレンによって隣の置換基に連結されて脂環式環および単環式もしくは多環式芳香環を形成しており；
Ｒ４１〜Ｒ４５は独立して水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、置換されているかもしくは置換されていない５〜７員のヘテロシクロアルキル、置換されているかもしくは置換されていない（Ｃ３−Ｃ３０）シクロアルキルを表すか、またはそれらは隣の置換基に連結されて環を形成しており；
ｐおよびｑは独立して０〜４の整数を表し；
ｐもしくはｑが２より大きい整数を表す場合には、それぞれのＲ３１およびＲ３２は互いに同じかもしくは異なっていてよく、およびそれらは隣の置換基に連結されて環を形成していてよく；並びに
前記ヘテロシクロアルキルおよびヘテロアリールはＢ、Ｎ、Ｏ、Ｓ、Ｐ（＝Ｏ）、ＳｉおよびＰからなる群から選択される１以上のヘテロ原子を含み；ＺがＮ（Ｒ４５）であり、かつＹ１３およびＹ１４が化学結合またはＮ（Ｒ４５）である場合は、Ｒ４５は（Ｃ６−Ｃ３０）アリールにより置換されているかもしくは置換されていない（Ｃ３−Ｃ３０）ヘテロアリールによって置換されていてもよい（Ｃ６−Ｃ３０）アリールを表す：
［化学式３］
（Ｃｚ−Ｌ２）ａ−Ｍ
［化学式４］
（Ｃｚ）ｂ−Ｌ２−Ｍ
式中、Ｃｚは下記構造から選択され、
【化５】
2013539206.tif 000005
環Ｅは（Ｃ６−Ｃ３０）シクロアルキル基、（Ｃ６−Ｃ３０）アリール基、もしくは（Ｃ５−Ｃ３０）ヘテロアリール基を表し；
Ｒ５１〜Ｒ５３は独立して、水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、置換されているかもしくは置換されていない５〜７員のヘテロシクロアルキル、置換されているかもしくは置換されていない１以上の（Ｃ３−Ｃ３０）シクロアルキルと縮合した置換されているかもしくは置換されていない（Ｃ６−Ｃ３０）アリール、置換されているかもしくは置換されていない１以上の芳香環と縮合した５〜７員のヘテロシクロアルキル、置換されているかもしくは置換されていない（Ｃ３−Ｃ３０）シクロアルキル、置換されているかもしくは置換されていない１以上の芳香環と縮合した（Ｃ３−Ｃ３０）シクロアルキル、置換されているかもしくは置換されていない（Ｃ６−Ｃ３０）アリール（Ｃ１−Ｃ３０）アルキル、シアノ、ニトロ、ヒドロキシル、ＢＲ１１Ｒ１２、ＰＲ１３Ｒ１４、Ｐ（＝Ｏ）Ｒ１５Ｒ１６、Ｒ１７Ｒ１８Ｒ１９Ｓｉ−、ＮＲ２０Ｒ２１、−ＹＲ２２を表すか、またはそれらは縮合環を有するかもしくは有しない置換されているかもしくは置換されていない（Ｃ３−Ｃ３０）アルキレンまたは置換されているかもしくは置換されていない（Ｃ３−Ｃ３０）アルケニレンによって隣の置換基に連結されて脂環式環および単環式もしくは多環式芳香環を形成しており、この形成された脂環式環および単環式もしくは多環式芳香環の炭素原子は窒素、酸素および硫黄からなる群から選択される１以上のヘテロ原子で置き換えられていてよく；並びに
それぞれのＲ５２もしくはＲ５３は互いに同じかもしくは異なっていてよく；
Ｌ２は化学結合、置換されているかもしくは置換されていない（Ｃ６−Ｃ３０）アリール基、または置換されているかもしくは置換されていない（Ｃ５−Ｃ３０）ヘテロアリール基を表し；
Ｍは置換されているかもしくは置換されていない（Ｃ５−Ｃ３０）ヘテロアリールを表し；
ａ〜ｄは独立して０〜４の整数を表す：
【化６】
2013539206.tif 000006
式中、Ａ１〜Ａ１９は独立してＣＲ６１もしくはＮを表し；
Ｘは−Ｃ（Ｒ６２Ｒ６３）−、−Ｎ（Ｒ６４）−、−Ｓ−、−Ｏ−、−Ｓｉ（Ｒ６５）（Ｒ６６）−、−Ｐ（Ｒ６７）−、−Ｐ（＝Ｏ）（Ｒ６８）−、または−Ｂ（Ｒ６９）−を表し；
Ａｒ１は置換されているかもしくは置換されていない（Ｃ６−Ｃ４０）アリーレン、または置換されているかもしくは置換されていない（Ｃ３−Ｃ４０）ヘテロアリーレンを表すが；ｅ＝０かつＡ１５〜Ａ１９が同時にＣＲ６１である場合のみを除き；
Ｒ６１〜Ｒ６９は独立して水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない１以上の（Ｃ３−Ｃ３０）シクロアルキルと縮合した置換されているかもしくは置換されていない（Ｃ６−Ｃ３０）アリール、置換されているかもしくは置換されていない（Ｃ３−Ｃ３０）ヘテロアリール、置換されているかもしくは置換されていない５〜７員のヘテロシクロアルキル、置換されているかもしくは置換されていない１以上の芳香環と縮合した５〜７員のヘテロシクロアルキル、置換されているかもしくは置換されていない（Ｃ３−Ｃ３０）シクロアルキル、１以上の芳香環と縮合した置換されているかもしくは置換されていない（Ｃ３−Ｃ３０）シクロアルキル、シアノ、トリフルオロメチル、ＮＲ７１Ｒ７２、ＢＲ７３Ｒ７４、ＰＲ７５Ｒ７６、Ｐ（＝Ｏ）Ｒ７７Ｒ７８、Ｒ７９Ｒ８０Ｒ８１Ｓｉ−、Ｒ８２Ｙ２１−、Ｒ８３Ｃ（＝Ｏ）−、Ｒ８４Ｃ（＝Ｏ）Ｏ−、置換されているかもしくは置換されていない（Ｃ６−Ｃ３０）アリール（Ｃ１−Ｃ３０）アルキル、置換されているかもしくは置換されていない（Ｃ２−Ｃ３０）アルケニル、置換されているかもしくは置換されていない（Ｃ２−Ｃ３０）アルキニル、カルボキシル、ニトロまたはヒドロキシルを表すか、またはそれらは縮合環を有するかもしくは有しない置換されているかもしくは置換されていない（Ｃ３−Ｃ３０）アルキレンまたは置換されているかもしくは置換されていない（Ｃ３−Ｃ３０）アルケニレンによって隣の置換基に連結されて脂環式環、単環式もしくは多環式芳香環、またはヘテロ芳香環を形成しており；
前記ヘテロシクロアルキルおよびヘテロアリールはＢ、Ｎ、Ｏ、Ｓ、Ｐ（＝Ｏ）、ＳｉおよびＰからなる群から選択される１以上のヘテロ原子を含み；
Ｒ７１〜Ｒ７８は独立して、置換されているかもしくは置換されていない（Ｃ１−Ｃ３０）アルキル、置換されているかもしくは置換されていない（Ｃ６−Ｃ３０）アリール、または置換されているかもしくは置換されていない（Ｃ３−Ｃ３０）ヘテロアリールを表し；
Ｒ７９〜Ｒ８１は独立して、置換されているかもしくは置換されていない（Ｃ１−Ｃ３０）アルキル、または置換されているかもしくは置換されていない（Ｃ６−Ｃ３０）アリールを表し；
Ｙ２１はＳもしくはＯを表し；
Ｒ８２は置換されているかもしくは置換されていない（Ｃ１−Ｃ３０）アルキル、または置換されているかもしくは置換されていない（Ｃ６−Ｃ３０）アリールを表し；
Ｒ８３は置換されているかもしくは置換されていない（Ｃ１−Ｃ３０）アルキル、置換されているかもしくは置換されていない（Ｃ１−Ｃ３０）アルコキシ、置換されているかもしくは置換されていない（Ｃ６−Ｃ３０）アリール、または置換されているかもしくは置換されていない（Ｃ６−Ｃ３０）アリールオキシを表し；
Ｒ８４は置換されているかもしくは置換されていない（Ｃ１−Ｃ３０）アルキル、置換されているかもしくは置換されていない（Ｃ１−Ｃ３０）アルコキシ、置換されているかもしくは置換されていない（Ｃ６−Ｃ３０）アリール、または置換されているかもしくは置換されていない（Ｃ６−Ｃ３０）アリールオキシを表し；並びに
ｅは０〜２の整数を表す：
ここで、前記Ｒ、Ｒ１〜Ｒ９、Ｒ１１〜Ｒ１２、Ｒ３１〜Ｒ３２、Ｒ４１〜Ｒ４５、Ｒ５１〜Ｒ５３、Ｒ６１〜Ｒ６９、Ｒ７１〜Ｒ８４、Ｌ２、ＭおよびＡｒ１をさらに置換している置換基は独立して、重水素、ハロゲン、ハロゲンで置換されているかもしくは置換されていない（Ｃ１−Ｃ３０）アルキル、（Ｃ６−Ｃ３０）アリール、（Ｃ６−Ｃ３０）アリールで置換されているかもしくは置換されていない（Ｃ３−Ｃ３０）ヘテロアリール、５〜７員のヘテロシクロアルキル、１以上の芳香環と縮合した５〜７員のヘテロシクロアルキル、（Ｃ３−Ｃ３０）シクロアルキル、１以上の芳香環と縮合した（Ｃ６−Ｃ３０）シクロアルキル、Ｒ９１Ｒ９２Ｒ９３Ｓｉ−、（Ｃ２−Ｃ３０）アルケニル、（Ｃ２−Ｃ３０）アルキニル、シアノ、カルバゾリル、ＮＲ９４Ｒ９５、ＢＲ９６Ｒ９７、ＰＲ９８Ｒ９９、Ｐ（＝Ｏ）Ｒ１００Ｒ１０１、（Ｃ６−Ｃ３０）アリール（Ｃ１−Ｃ３０）アルキル、（Ｃ１−Ｃ３０）アルキル（Ｃ６−Ｃ３０）アリール、Ｒ１０２Ｓ−、Ｒ１０３Ｏ−、Ｒ１０４Ｃ（＝Ｏ）−、Ｒ１０５Ｃ（＝Ｏ）Ｏ−、カルボキシル、ニトロ、またはヒドロキシルからなる群から選択される１以上を表し；
Ｒ９１〜Ｒ１０３は独立して、水素、重水素、ハロゲン、置換されていない（Ｃ１−Ｃ３０）アルキル、置換されていない（Ｃ６−Ｃ３０）アリール、置換されていない（Ｃ３−Ｃ３０）ヘテロアリール、または置換されていない５〜７員のヘテロシクロアルキルを表すか、またはそれらは縮合環を有するかもしくは有しない置換されていない（Ｃ３−Ｃ３０）アルキレンまたは置換されていない（Ｃ３−Ｃ３０）アルケニレンによって隣の置換基に連結されて脂環式環および単環式もしくは多環式芳香環を形成しており、この形成された脂環式環および単環式もしくは多環式芳香環の炭素原子は、窒素、酸素および硫黄からなる群から選択される１以上のヘテロ原子で置き換えられていてよく；並びに
Ｒ１０４およびＲ１０５は（Ｃ１−Ｃ３０）アルキル、（Ｃ１−Ｃ３０）アルコキシ、（Ｃ６−Ｃ３０）アリール、または（Ｃ６−Ｃ３０）アリールオキシを表す。
【請求項２】
化学式１が化学式６〜７で表され、化学式２が化学式８〜１３で表され、および化学式３〜４のＣｚが下記構造で表される、請求項１に記載の有機電界発光素子：
【化７】
2013539206.tif 000007
【化８】
2013539206.tif 000008
式中、Ｒ、Ｒ１〜Ｒ９、Ｌ１およびｎは化学式１において定義されるのと同じである：
【化９】
2013539206.tif 000009
【化１０】
2013539206.tif 000010
式中、Ｒ３１、Ｒ３２、Ｙ１１〜Ｙ１３、Ｚ、ｐおよびｑは化学式２において定義されるのと同じである：
化学式３〜４のＣｚは下記構造から選択される
【化１１】
2013539206.tif 000011
式中、Ｒ５２、Ｒ５３、ｃおよびｄは化学式３〜４において定義されるのと同じであり；並びに
Ｒ５４〜Ｒ５８は独立して、ハロゲン、置換されているかもしくは置換されていない（Ｃ１−Ｃ３０）アルキル、置換されているかもしくは置換されていない（Ｃ６−Ｃ３０）アリール、または置換されているかもしくは置換されていない（Ｃ３−Ｃ３０）ヘテロアリールまたはカルバゾリルを表す。
【請求項３】
化学式１で表されるＬ１が下記構造から選択される、請求項１に記載の有機電界発光素子：
【化１２】
2013539206.tif 000012
式中、Ｒ２０１〜Ｒ２０３は独立して水素、重水素、ハロゲン置換でされているかもしくは置換されていない（Ｃ１−Ｃ３０）アルキル、（Ｃ１−Ｃ３０）アルキルで置換されているかもしくは置換されていない（Ｃ６−Ｃ３０）アリール、またはハロゲンを表し；
Ｒ２０４〜Ｒ２１９は独立して水素、重水素、置換されているかもしくは置換されていない(Ｃ１−Ｃ３０)アルキル、置換されているかもしくは置換されていない（Ｃ１−Ｃ３０）アルコキシ、置換されているかもしくは置換されていない(Ｃ３−Ｃ３０)シクロアルキル、置換されているかもしくは置換されていない(Ｃ２−Ｃ３０)アルケニル、置換されているかもしくは置換されていない(Ｃ６−Ｃ３０)アリール、置換されているかもしくは置換されていないモノ（Ｃ１−Ｃ３０）アルキルアミノ、置換されているかもしくは置換されていないジ（Ｃ１−Ｃ３０）アルキルアミノ、置換されているかもしくは置換されていないモノ(Ｃ６−Ｃ３０)アリールアミノ、置換されているかもしくは置換されていないジ(Ｃ６−Ｃ３０)アリールアミノ、ＳＦ５、置換されているかもしくは置換されていないトリ(Ｃ１−Ｃ３０)アルキルシリル、置換されているかもしくは置換されていないジ(Ｃ１−Ｃ３０)アルキル(Ｃ６−Ｃ３０)アリールシリル、置換されているかもしくは置換されていないトリ(Ｃ６−Ｃ３０)アリールシリル、シアノまたはハロゲンを表し；
Ｒ２２０〜Ｒ２２３は独立して、水素、重水素、ハロゲンで置換されているかもしくは置換されていない（Ｃ１−Ｃ３０）アルキル、または（Ｃ１−Ｃ３０）アルキルで置換されているかもしくは置換されていない（Ｃ６−Ｃ３０）アリールを表し；
Ｒ２２４およびＲ２２５は独立して水素、重水素、置換されているかもしくは置換されていない(Ｃ１−Ｃ３０)アルキル、置換されているかもしくは置換されていない(Ｃ６−Ｃ３０)アリール、またはハロゲンを表し、またはＲ２２４とＲ２２５は縮合環を有するもしくは有しない（Ｃ３−Ｃ１２）アルキレンもしくは（Ｃ３−Ｃ１２）アルケニレンによって連結されて、脂環式環および単環式もしくは多環式芳香環を形成しており；
Ｒ２２６は置換されているかもしくは置換されていない（Ｃ１−Ｃ３０）アルキル、置換されているかもしくは置換されていない（Ｃ６−Ｃ３０）アリール、置換されているかもしくは置換されていない(Ｃ５−Ｃ３０)ヘテロアリール、またはハロゲンを表し；
Ｒ２２７〜Ｒ２２９は独立して、水素、重水素、置換されているかもしくは置換されていない（Ｃ１−Ｃ３０）アルキル、置換されているかもしくは置換されていない（Ｃ６−Ｃ３０）アリール、またはハロゲンを表し；
Ｑは
【化１３】
2013539206.tif 000013
を表し、並びに
Ｒ２３１〜Ｒ２４２は独立して水素、重水素、ハロゲンで置換されているかもしくは置換されていない(Ｃ１−Ｃ３０)アルキル、（Ｃ１−Ｃ３０）アルコキシ、ハロゲン、置換されているかもしくは置換されていない(Ｃ６−Ｃ３０)アリール、シアノ、置換されているかもしくは置換されていない(Ｃ５−Ｃ３０)シクロアルキルを表し、またはそれらはアルキレンもしくはアルケニレンによって隣の置換基に連結されてスピロ環もしくは縮合環を形成しており、またはアルキレンもしくはアルケニレンによってＲ２０７もしくはＲ２０８に連結されて飽和もしくは不飽和縮合環を形成している。
【請求項４】
前記化学式１が下記化学式１４で表され、並びに前記化学式２〜５が下記化学式８、１０、１１〜１２および化学式３〜５で表される、請求項１に記載の有機電界発光素子：
【化１４】
2013539206.tif 000014
式中、Ｒは置換されているかもしくは置換されていない（Ｃ１−Ｃ３０）アルキル、置換されているかもしくは置換されていない（Ｃ６−Ｃ３０）アリールを表し；
Ｌ１は下記構造
【化１５】
2013539206.tif 000015
から選択され、
Ｒ２０１〜Ｒ２０３は独立して水素、重水素、ハロゲンで置換されているかもしくは置換されていない（Ｃ１−Ｃ３０）アルキル、（Ｃ１−Ｃ３０）アルキルで置換されているかもしくは置換されていない（Ｃ６−Ｃ３０）アリール、またはハロゲンを表し；
Ｒ２０４〜Ｒ２１９は独立して水素、重水素、置換されているかもしくは置換されていない（Ｃ１−Ｃ３０）アルキル、置換されているかもしくは置換されていない（Ｃ６−Ｃ３０）アリール、ＳＦ５、置換されているかもしくは置換されていないトリ(Ｃ１−Ｃ３０)アルキルシリル、置換されているかもしくは置換されていないジ(Ｃ１−Ｃ３０)アルキル(Ｃ６−Ｃ３０)アリールシリル、置換されているかもしくは置換されていないトリ(Ｃ６−Ｃ３０)アリールシリル、シアノまたはハロゲンを表し；
Ｒ２２０〜Ｒ２２１は独立して、水素、重水素、ハロゲンで置換されているかもしくは置換されていない（Ｃ１−Ｃ３０）アルキル、または（Ｃ１−Ｃ３０）アルキルで置換されているかもしくは置換されていない（Ｃ６−Ｃ３０）アリールを表し；並びに、
ｎおよびｍは独立して１〜３の整数を表す：
【化１６】
2013539206.tif 000016
式中、Ｚは−Ｏ−、−Ｓ−、−Ｃ（Ｒ４１Ｒ４２）−、−Ｎ（Ｒ４５）−を表し；
Ｙ１１〜Ｙ１２はＣを表し；
Ｙ１３は−Ｎ（Ｒ４５）−を表し；
Ｒ３１およびＲ３２は独立して、水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、置換されている（Ｃ１−Ｃ３０）アルキルシリル基、置換されているかもしくは置換されていない（Ｃ１−Ｃ３０）アリールシリル基、および置換されているかもしくは置換されていない（Ｃ１−Ｃ３０）アルキル（Ｃ６−Ｃ３０）アリールシリル基を表し；
Ｒ４１〜Ｒ４２は独立して、置換されているかもしくは置換されていない（Ｃ１−Ｃ３０）アルキル、置換されているかもしくは置換されていない（Ｃ６−Ｃ３０）アリール、および置換されているかもしくは置換されていない（Ｃ３−Ｃ３０）ヘテロアリールを表し；
Ｒ４５は置換されている（Ｃ１−Ｃ３０）アルキル、置換されているかもしくは置換されていない（Ｃ６−Ｃ３０）アリール、および置換されているかもしくは置換されていない（Ｃ３−Ｃ３０）ヘテロアリールを表し；
ｐおよびｑは独立して０〜４の整数を表し；ｐもしくはｑが２より大きい整数を表す場合には、それぞれのＲ３１およびＲ３２は互いに同じかもしくは異なっていてよい：
［化学式３］
（Ｃｚ−Ｌ２）ａ−Ｍ
［化学式４］
（Ｃｚ）ｂ−Ｌ２−Ｍ
式中、Ｃｚは下記構造
【化１７】
2013539206.tif 000017
を有し、
Ｒ５２〜Ｒ５３は独立して、水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、Ｒ１７Ｒ１８Ｒ１９Ｓｉ−を表し；Ｒ１７〜Ｒ１９は独立して、置換されているかもしくは置換されていない（Ｃ１−Ｃ３０）アルキル、置換されているかもしくは置換されていない（Ｃ６−Ｃ３０）アリールを表し；それぞれのＲ５２またはＲ５３は互いに同じかもしくは異なっていてよく；
Ｌ２は化学結合、置換されているかもしくは置換されていない（Ｃ６−Ｃ３０）アリーレン、および置換されているかもしくは置換されていない（Ｃ５−Ｃ３０）ヘテロアリーレンを表し；
Ｍは置換されているかもしくは置換されていない（Ｃ６−Ｃ３０）アリール基、および置換されているかもしくは置換されていない（Ｃ５−Ｃ３０）ヘテロアリールを表し；
ａ〜ｄは独立して０〜４の整数を表す：
【化１８】
2013539206.tif 000018
式中、Ａ１〜Ａ１４はＣＲ６１を表し；
Ａ１５〜Ａ１９は独立してＣＲ６１もしくはＮを表し；
Ｘは−Ｎ（Ｒ６４）−、−Ｓ−、−Ｏ−、および−Ｓｉ（Ｒ６５）（Ｒ６６）−を表し；
Ａｒ１は置換されているかもしくは置換されていない（Ｃ６−Ｃ４０）アリーレン、および置換されているかもしくは置換されていない（Ｃ３−Ｃ４０）ヘテロアリーレンを表すが；ｅ＝０かつＡ１５〜Ａ１９が同時にＣＲ６１を表す場合を除き；
Ｒ６１およびＲ６４〜Ｒ６６は独立して水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、ＮＲ７１Ｒ７２、およびＲ７９Ｒ８０Ｒ８１Ｓｉ−を表し；
Ｒ７１〜Ｒ７２は独立して、置換されているかもしくは置換されていない（Ｃ１−Ｃ３０）アルキル、置換されているかもしくは置換されていない（Ｃ６−Ｃ３０）アリール、または置換されているかもしくは置換されていない（Ｃ３−Ｃ３０）ヘテロアリールを表し；
Ｒ７９〜Ｒ８１は独立して、置換されているかもしくは置換されていない（Ｃ１−Ｃ３０）アルキル、または置換されているかもしくは置換されていない（Ｃ６−Ｃ３０）アリールを表し；並びに
ｅは０〜２の整数を表す。
【請求項５】
化学式１が下記構造
【化１９】
2013539206.tif 000019
【化２０】
2013539206.tif 000020
【化２１】
2013539206.tif 000021
から選択される請求項１に記載の有機電界発光素子。
【請求項６】
化学式２〜４が下記構造
【化２２】
2013539206.tif 000022
【化２３】
2013539206.tif 000023
【化２４】
2013539206.tif 000024
【化２５】
2013539206.tif 000025
から選択される請求項１に記載の有機電界発光素子。
【請求項７】
前記有機層が電界発光層および電荷発生層を同時に含む、請求項１に記載の有機電界発光素子。
【請求項８】
白色光を放射するために、前記有機層が赤、緑または青色光を放射する１以上の有機電界発光層をさらに含む、請求項１に記載の有機電界発光素子。
【請求項９】
前記電界発光層において、前記ホスト化合物に基づく前記ドーパント化合物のドーピング濃度が２０重量％未満の範囲である、請求項１に記載の有機電界発光素子。
【誤訳訂正２】
【訂正対象書類名】明細書
【訂正対象項目名】００２３
【訂正方法】変更
【訂正の内容】
【００２３】
環Ｅは（Ｃ６−Ｃ３０）シクロアルキル基、（Ｃ６−Ｃ３０）アリール基、もしくは（Ｃ５−Ｃ３０）ヘテロアリール基を表し；
Ｒ５１〜Ｒ５３は独立して、水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない（Ｃ３−Ｃ３０）ヘテロアリール、置換されているかもしくは置換されていない５〜７員のヘテロシクロアルキル、置換されているかもしくは置換されていない１以上の（Ｃ３−Ｃ３０）シクロアルキルと縮合した置換されているかもしくは置換されていない（Ｃ６−Ｃ３０）アリール、置換されているかもしくは置換されていない１以上の芳香環と縮合した５〜７員のヘテロシクロアルキル、置換されているかもしくは置換されていない（Ｃ３−Ｃ３０）シクロアルキル、置換されているかもしくは置換されていない１以上の芳香環と縮合した（Ｃ３−Ｃ３０）シクロアルキル、置換されているかもしくは置換されていない（Ｃ６−Ｃ３０）アリール（Ｃ１−Ｃ３０）アルキル、シアノ、ニトロ、ヒドロキシル、ＢＲ１１Ｒ１２、ＰＲ１３Ｒ１４、Ｐ（＝Ｏ）Ｒ１５Ｒ１６、Ｒ１７Ｒ１８Ｒ１９Ｓｉ−、ＮＲ２０Ｒ２１、−ＹＲ２２を表すか、またはそれらは縮合環を有するかもしくは有しない置換されているかもしくは置換されていない（Ｃ３−Ｃ３０）アルキレンまたは置換されているかもしくは置換されていない（Ｃ３−Ｃ３０）アルケニレンによって隣の置換基に連結されて脂環式環および単環式もしくは多環式芳香環を形成しており、この形成された脂環式環および単環式もしくは多環式芳香環の炭素原子は窒素、酸素および硫黄からなる群から選択される１以上のヘテロ原子で置き換えられていてよく；並びに
それぞれのＲ５２もしくはＲ５３は互いに同じかもしくは異なっていてよく；
Ｌ２は化学結合、置換されているかもしくは置換されていない（Ｃ６−Ｃ３０）アリール基、または置換されているかもしくは置換されていない（Ｃ５−Ｃ３０）ヘテロアリール基を表し；
Ｍは置換されているかもしくは置換されていない（Ｃ６−Ｃ３０）アリール基、または置換されているかもしくは置換されていない（Ｃ５−Ｃ３０）ヘテロアリールを表し；
ａ〜ｄは独立して０〜４の整数を表す。
【誤訳訂正３】
【訂正対象書類名】明細書
【訂正対象項目名】００２５
【訂正方法】変更
【訂正の内容】
【００２５】
式中、Ａ１〜Ａ１９は独立してＣＲ６１もしくはＮを表し；
Ｘは−Ｃ（Ｒ６２Ｒ６３）−、−Ｎ（Ｒ６４）−、−Ｓ−、−Ｏ−、−Ｓｉ（Ｒ６５）（Ｒ６６）−、−Ｐ（Ｒ６７）−、−Ｐ（＝Ｏ）（Ｒ６８）−、または−Ｂ（Ｒ６９）−を表し；
Ａｒ１は置換されているかもしくは置換されていない（Ｃ６−Ｃ４０）アリーレン、または置換されているかもしくは置換されていない（Ｃ３−Ｃ４０）ヘテロアリーレンを表すが；ｅ＝０かつＡ１５〜Ａ１９が同時にＣＲ６１である場合のみを除き；
Ｒ６１〜Ｒ６９は独立して水素、重水素、ハロゲン、置換されているかもしくは置換されていない（Ｃ１−Ｃ３０）アルキル、置換されているかもしくは置換されていない（Ｃ６−Ｃ３０）アリール、置換されているかもしくは置換されていない１以上の（Ｃ３−Ｃ３０）シクロアルキルと縮合した置換されているかもしくは置換されていない（Ｃ６−Ｃ３０）アリール、置換されているかもしくは置換されていない（Ｃ３−Ｃ３０）ヘテロアリール、置換されているかもしくは置換されていない５〜７員のヘテロシクロアルキル、置換されているかもしくは置換されていない１以上の芳香環と縮合した５〜７員のヘテロシクロアルキル、置換されているかもしくは置換されていない（Ｃ３−Ｃ３０）シクロアルキル、１以上の芳香環と縮合した置換されているかもしくは置換されていない（Ｃ３−Ｃ３０）シクロアルキル、シアノ、トリフルオロメチル、ＮＲ７１Ｒ７２、ＢＲ７３Ｒ７４、ＰＲ７５Ｒ７６、Ｐ（＝Ｏ）Ｒ７７Ｒ７８、Ｒ７９Ｒ８０Ｒ８１Ｓｉ−、Ｒ８２Ｙ２１−、Ｒ８３Ｃ（＝Ｏ）−、Ｒ８４Ｃ（＝Ｏ）Ｏ−、置換されているかもしくは置換されていない（Ｃ６−Ｃ３０）アリール（Ｃ１−Ｃ３０）アルキル、置換されているかもしくは置換されていない（Ｃ２−Ｃ３０）アルケニル、置換されているかもしくは置換されていない（Ｃ２−Ｃ３０）アルキニル、カルボキシル、ニトロまたはヒドロキシルを表すか、またはそれらは縮合環を有するかもしくは有しない置換されているかもしくは置換されていない（Ｃ３−Ｃ３０）アルキレンまたは置換されているかもしくは置換されていない（Ｃ３−Ｃ３０）アルケニレンによって隣の置換基に連結されて脂環式環、単環式もしくは多環式芳香環、またはヘテロ芳香環を形成しており；
前記ヘテロシクロアルキルおよびヘテロアリールはＢ、Ｎ、Ｏ、Ｓ、Ｐ（＝Ｏ）、ＳｉおよびＰからなる群から選択される１以上のヘテロ原子を含み；
Ｒ７１〜Ｒ７８は独立して、置換されているかもしくは置換されていない（Ｃ１−Ｃ３０）アルキル、置換されているかもしくは置換されていない（Ｃ６−Ｃ３０）アリール、または置換されているかもしくは置換されていない（Ｃ３−Ｃ３０）ヘテロアリールを表し；
Ｒ７９〜Ｒ８１は独立して、置換されているかもしくは置換されていない（Ｃ１−Ｃ３０）アルキル、または置換されているかもしくは置換されていない（Ｃ６−Ｃ３０）アリールを表し；
Ｙ２１はＳもしくはＯを表し；
Ｒ８２は置換されているかもしくは置換されていない（Ｃ１−Ｃ３０）アルキル、または置換されているかもしくは置換されていない（Ｃ６−Ｃ３０）アリールを表し；
Ｒ８３は置換されているかもしくは置換されていない（Ｃ１−Ｃ３０）アルキル、置換されているかもしくは置換されていない（Ｃ１−Ｃ３０）アルコキシ、置換されているかもしくは置換されていない（Ｃ６−Ｃ３０）アリール、または置換されているかもしくは置換されていない（Ｃ６−Ｃ３０）アリールオキシを表し；
Ｒ８４は置換されているかもしくは置換されていない（Ｃ１−Ｃ３０）アルキル、置換されているかもしくは置換されていない（Ｃ１−Ｃ３０）アルコキシ、置換されているかもしくは置換されていない（Ｃ６−Ｃ３０）アリール、または置換されているかもしくは置換されていない（Ｃ６−Ｃ３０）アリールオキシを表し；並びに
ｅは０または２の整数を表す。